(57)【特許請求の範囲】
【請求項１】
送出装置とデータ受配信装置と、視聴者に所持されている無線端末を有し、双方向通信を伴うディジタル放送を視聴者に提供する放送システムにおける視聴者情報収集方法であって、
前記送出装置において、
前記視聴者に応募を求める募集情報を、前記データ受配信装置から受け、データ放送信号として放送番組信号に多重して前記ディジタル放送で送出するステップと、
前記無線端末において、
前記送出装置から前記ディジタル放送を受信するステップと、
前記ディジタル放送から前記データ放送信号を分離し、前記募集情報を表示すると共に、一時記憶するステップと、
前記募集情報に対して前記視聴者が応募するとき、視聴者情報を含む応募情報を作成して前記双方向通信にて前記データ受配信装置に送るステップと、
前記データ受配信装置において、
前記双方向通信にて前記視聴者情報を含む前記応募情報を前記無線端末から受信するステップと、
前記募集情報と同時に前記放送番組信号で放送された番組の視聴者層を知るために、該番組の番組情報と対応付けて前記視聴者情報を蓄積するステップを有し、
所定の第１の時間内に前記応募情報が作成されないとき、
前記無線端末において、一時記憶した前記募集情報を前記双方向通信により前記データ受配信装置に送り、
前記データ受配信装置において、前記無線端末から受けた前記募集情報を一時記憶し、
前記無線端末において、前記視聴者の所望のときに、前記募集情報を取得するために前記データ受配信装置にアクセスし、
前記データ受配信装置において、所定の第２の時間内に前記無線端末からアクセスがなれれば前記募集情報を消去し、アクセスがあれば前記募集情報を前記無線端末に送り、
前記無線端末において、前記募集情報を取得して前記応募情報を作成する、放送システムにおける視聴者情報収集方法。
【請求項２】
前記視聴者情報は、前記無線端末を所持している視聴者の住所、氏名、年齢、性別のうち少なくとも１つを含む、請求項１記載の放送システムにおける視聴者情報収集方法。
【請求項３】
前記無線端末において、前記応募情報を作成するとき前記視聴者により一度入力された前記視聴者情報を内部に記憶し、それ以降に前記応募情報を作成するとき該視聴者情報を用いる、請求項１記載の放送システムにおける視聴者情報収集方法。
【請求項４】
前記無線端末において、前記視聴者の所望のときに前記応募情報を作成する、請求項１記載の放送システムにおける視聴者情報収集方法。
【請求項５】
前記無線端末において、作成した前記応募情報を一時記憶し、無線回線の状態が良好なときに前記データ受配信装置に送信する、請求項１記載の放送システムにおける視聴者情報収集方法。
【請求項６】
前記第２の時間は、前記募集情報を記憶したときから前記募集情報に対する応募の期限までである、請求項１記載の放送システムにおける視聴者情報収集方法。
【請求項７】
双方向通信を伴うディジタル放送を視聴者に提供する放送システムであって、
放送番組信号とデータ放送信号を多重して前記ディジタル放送として送出する送出装置と、
前記視聴者に所持され、前記ディジタル放送の受信と並行して前記双方向通信ができる無線端末と、
前記視聴者に応募を求める募集情報を前記データ放送信号として前記送出装置に送り、前記双方向通信により前記無線端末から視聴者情報を含む応募情報を受信し、前記募集情報と同時に前記放送番組信号で放送された番組の視聴者層を知るために、該番組の番組情報と対応付けて前記視聴者情報を蓄積するデータ受配信装置とを有し、
前記無線端末は、前記データ放送により受信した前記募集情報を一時記憶し、所定の第１の時間内に前記応募情報が作成されないとき、一時記憶した前記募集情報を前記双方向通信により前記データ受配信装置に送り、前記視聴者の所望のときに前記データ受配信装置にアクセスして前記募集情報を取得し、前記応募情報を作成し、
前記データ受配信装置は、前記無線端末から受けた前記募集情報を一時記憶し、所定の第２の時間内に前記無線端末からアクセスがなければ前記募集情報を消去し、アクセスがあれば前記募集情報を前記無線端末に送る、放送システム。
【請求項８】
前記視聴者情報は、前記無線端末を所持している視聴者の住所、氏名、年齢、性別のうち少なくとも１つを含む、請求項７記載の放送システム。
【請求項９】
前記無線端末は、前記視聴者により一度入力された前記視聴者情報を内部に記憶し、それ以降に前記応募情報を作成するとき該視聴者情報を用いる、請求項７記載の放送システム。
【請求項１０】
前記無線端末は、前記視聴者の所望のときに前記応募情報を作成する、請求項７記載の放送システム。
【請求項１１】
前記無線端末は、作成した前記応募情報を一時記憶し、無線回線の状態が良好なときに前記データ受配信装置に送信する、請求項７記載の放送システム。
【請求項１２】
前記第２の時間は、前記募集情報を記憶したときから前記募集情報に対する応募の期限までである、請求項７記載の放送システム。
【請求項１３】
前記無線端末は、前記データ放送により受信した前記募集情報を表示する部分が、本体から分離された別の装置にある、請求項７記載の放送システム。
【請求項１４】
送出装置とデータ受配信装置を有し双方向通信を伴うディジタル放送を視聴者に提供する放送システムにて用いられる、視聴者の所持する無線端末において、
前記視聴者に応募を求める募集情報を前記データ受配信装置から受けた前記送出装置にて、該募集情報をデータ放送信号として放送番組信号に多重して送出された前記ディジタル放送を前記送出装置から受信するディジタル放送受信部と、
前記ディジタル放送から前記放送番組情報と前記データ放送信号を分離するデータ解析部と、
前記放送番組信号による放送番組が放送されるのと同時に、前記募集情報を表示すると共に一時記憶し、前記募集情報に対して前記視聴者が応募するとき、前記募集情報と同時に放送された前記放送番組の視聴者層を知るために利用される前記視聴者情報を含む応募情報を作成し、前記双方向通信にて前記データ受配信装置に送る制御部とを有し、
前記制御部は、所定の第１の時間内に前記応募情報が作成されないとき、一時記憶した前記募集情報を前記双方向通信により前記データ受配信装置に送り、前記視聴者の所望のときに、前記データ受配信装置にアクセスして前記募集情報を取得して前記応募情報を作成することを特徴とする、無線端末。
【請求項１５】
前記視聴者情報は、前記無線端末を所持している視聴者の住所、氏名、年齢、性別のうち少なくとも１つを含む、請求項１４記載の無線端末。
【請求項１６】
前記制御部は、前記応募情報を作成するとき前記視聴者により一度入力された前記視聴者情報を記憶し、それ以降に前記応募情報を作成するとき該視聴者情報を用いる、請求項１４記載の無線端末。
【請求項１７】
前記制御部は、前記視聴者の所望のときに前記応募情報を作成する、請求項１４記載の無線端末。
【請求項１８】
前記制御部は、作成した前記応募情報を一時記憶し、無線回線の状態が良好なときに前記データ受配信装置に送信する、請求項１４記載の無線端末。
【請求項１９】
本体から別装置として分離されており、前記データ放送により受信した前記募集情報を表示する表示部をさらに有する、請求項１４記載の無線端末。
【発明の詳細な説明】
【０００１】
【発明の属する技術分野】
本発明は、ディジタル放送と双方向通信を融合した放送システムに関し、特に、広告の宣伝効果をスポンサーが確認できる放送システムに関する。
【０００２】
【従来の技術】
ディジタル放送では家庭内のテレビやパーソナルコンピュータでの受信を想定し、双方向型の視聴者参加型番組等が制作され、放送されている。
【０００３】
双方向性を利用した番組では、視聴者はテレビを見ながらクイズなどに参加することが可能である。また、双方向性を利用した他の番組として、双方向のテレビショッピングが考えられる。これは、放送番組で商品を視聴者に紹介し、双方向通信で視聴者から商品購入の申し込みを受け付けるものである。これらの番組は、双方向性を生かして、片方向型の放送では提供できなかったサービスを視聴者に提供している。
【０００４】
ところで、放送事業者は双方向型の放送においても、従来の片方向型の放送と同様に広告収入を番組の制作費等に充てている。即ち、放送事業者は、スポンサーの商品等の広告を放送し、スポンサーから広告料を受けている。当然、広告の宣伝効果が高いことがスポンサーにとって好ましい。スポンサーや放送事業者は、放送時間帯や番組内容から視聴者層を推測し、視聴者層と商品等のターゲットとを一致させることで広告をできるだけ効果的に放送しようとしている。
【０００５】
双方向型の番組において、スポンサーや放送事業者は視聴者から何らかの情報を得ることができる。視聴者から得た情報から視聴者層を特定することができれば、宣伝効果を向上させることができる。
【０００６】
【発明が解決しようとする課題】
双方向型で放送されるクイズ番組等では、放送事業者は、クイズ等に参加した視聴者の情報を得ることができる。しかし、従来の双方向型の放送は家庭内のテレビやパーソナルコンピュータで視聴されることを想定している。一般に、家庭内のテレビやパーソナルコンピュータは家族に共通で使用されるで、参加する視聴者に個人を特定するための情報の入力を毎回強いなければ、その性別や年齢等の情報を得ることはできない。そのため、番組の視聴者層を容易に特定することはできない。
【０００７】
双方向のテレビショッピングでは、視聴者の購入した商品等の情報を得ることができる。しかし、購入の名義が必ずしも主な視聴者でない場合があるので、視聴者層を特定することはできない。例えば、クレジットカードで決済する場合などでは、視聴者は未成年者であっても、商品等の購入の名義がその親であることがある。購入した商品等からある程度、視聴者層を推測することはできるが、購入商品等は番組で紹介された商品等によるので、視聴者層を特定することは容易でない。
【０００８】
以上のことから、従来の双方向型放送では、放送事業者やスポンサーは放送時間帯や番組内容と視聴者層とを関連付けた情報を取得し、それを宣伝効果の向上に利用することができなかった。
【０００９】
本発明の目的は、宣伝効果の向上に利用可能な視聴者層の情報を有効に取得することができる双方向型のディジタル放送システムを提供することである。
【００１０】
上記目的を達成するために、本発明の放送システムにおける視聴者情報収集方法は、送出装置とデータ受配信装置と、視聴者に所持されている無線端末を有し、双方向通信を伴うディジタル放送を視聴者に提供する放送システムにおける視聴者情報収集方法であって、
前記送出装置において、
前記視聴者に応募を求める募集情報を、前記データ受配信装置から受け、データ放送信号として放送番組信号に多重して前記ディジタル放送で送出するステップと、
前記無線端末において、
前記送出装置から前記ディジタル放送を受信するステップと、
前記ディジタル放送から前記データ放送信号を分離し、前記募集情報を表示すると共に、一時記憶するステップと、
前記募集情報に対して前記視聴者が応募するとき、視聴者情報を含む応募情報を作成して前記双方向通信にて前記データ受配信装置に送るステップと、
前記データ受配信装置において、
前記双方向通信にて前記視聴者情報を含む前記応募情報を前記無線端末から受信するステップと、
前記募集情報と同時に前記放送番組信号で放送された番組の視聴者層を知るために、該番組の番組情報と対応付けて前記視聴者情報を蓄積するステップを有し、
所定の第１の時間内に前記応募情報が作成されないとき、
前記無線端末において、一時記憶した前記募集情報を前記双方向通信により前記データ受配信装置に送り、
前記データ受配信装置において、前記無線端末から受けた前記募集情報を一時記憶し、
前記無線端末において、前記視聴者の所望のときに、前記募集情報を取得するために前記データ受配信装置にアクセスし、
前記データ受配信装置において、所定の第２の時間内に前記無線端末からアクセスがなれれば前記募集情報を消去し、アクセスがあれば前記募集情報を前記無線端末に送り、
前記無線端末において、前記募集情報を取得して前記応募情報を作成するものである。
【００１１】
したがって、送出装置からデータ放送で送られた懸賞等の募集情報に対して、個人が所有する無線端末から視聴者情報を含む応募情報をデータ受配信装置に送り、視聴者情報をデータ受配信装置に蓄積するので、個人の視聴者情報から視聴者層を正確に知ることができる。また、募集情報が放送されたときに直ぐに視聴者が応募操作すれば、そのときにリアルタイムで懸賞等に応募することができ、直ぐに応募しないとき、特別な操作を行わなくても募集情報がデータ受配信装置に記憶され、視聴者は都合のよいときにデータ受配信装置から募集情報を取り出して懸賞等に応募することができる。
【００１２】
本発明の放送システムにおける視聴者情報収集方法の一態様によれば、前記視聴者情報は、前記無線端末を所持している視聴者の住所、氏名、年齢、性別のうち少なくとも１つを含む。
【００１３】
本発明の放送システムにおける視聴者情報収集方法の一態様によれば、前記無線端末において、前記応募情報を作成するとき前記視聴者により一度入力された前記視聴者情報を内部に記憶し、それ以降に前記応募情報を作成するとき該視聴者情報を用いる。
【００１４】
したがって、視聴者は視聴者情報を無線端末に対して一度入力すれば、無線端末はそれを記憶し、それ以降に応募情報を作成するときに自動的に用いるので、それ以降に懸賞等に応募するとき、視聴者は視聴者情報を入力する必要がない。
【００１７】
本発明の放送システムにおける視聴者情報収集方法の一態様によれば、前記無線端末において、前記データ放送により受信した前記募集情報を一時記憶し、前記視聴者の所望のときに前記応募情報を作成する。
【００１８】
したがって、視聴者は蓄積された募集情報を所望のときに取り出して応募できるので、懸賞等の募集情報が放送されたとき、視聴者がリアルタイムで応募操作を行えなくとも、その後の都合のよいときに懸賞等に応募することができ、視聴者にとって懸賞等への応募がし易い。
【００１９】
本発明の放送システムにおける視聴者情報収集方法の一態様によれば、前記無線端末において、作成した前記応募情報を一時記憶し、無線回線の状態が良好なときに前記データ受配信装置に送信する。
【００２０】
したがって、無線回線が良好なときに応募情報が無線端末から送出されるので、視聴者が応募の操作を行ったときの無線回線の状況によらず、確実に応募情報をデータ受配信装置に送ることができる。
【００２３】
本発明の放送システムにおける視聴者情報収集方法の一態様によれば、前記第２の時間は、前記募集情報を記憶したときから前記募集情報に対する応募の期限までである。
【００２４】
したがって、データ受配信装置は応募の期限が過ぎていない募集情報のみを残して、募集期限の過ぎたものを消去する。
【００２５】
本発明の放送システムは、双方向通信を伴うディジタル放送を視聴者に提供する放送システムであって、
放送番組信号とデータ放送信号を多重して前記ディジタル放送として送出する送出装置と、
前記視聴者に所持され、前記ディジタル放送の受信と並行して前記双方向通信ができる無線端末と、
前記視聴者に応募を求める募集情報を前記データ放送信号として前記送出装置に送り、前記双方向通信により前記無線端末から視聴者情報を含む応募情報を受信し、前記募集情報と同時に前記放送番組信号で放送された番組の視聴者層を知るために、該番組の番組情報と対応付けて前記視聴者情報を蓄積するデータ受配信装置とを有し、
前記無線端末は、前記データ放送により受信した前記募集情報を一時記憶し、所定の第１の時間内に前記応募情報が作成されないとき、一時記憶した前記募集情報を前記双方向通信により前記データ受配信装置に送り、前記視聴者の所望のときに前記データ受配信装置にアクセスして前記募集情報を取得し、前記応募情報を作成し、
前記データ受配信装置は、前記無線端末から受けた前記募集情報を一時記憶し、所定の第２の時間内に前記無線端末からアクセスがなければ前記募集情報を消去し、アクセスがあれば前記募集情報を前記無線端末に送るものである。
【００２６】
本発明の放送システムの一態様によれば、前記視聴者情報は、前記無線端末を所持している視聴者の住所、氏名、年齢、性別のうち少なくとも１つを含む。
【００２７】
本発明の放送システムの一態様によれば、前記無線端末は、前記視聴者により一度入力された前記視聴者情報を内部に記憶し、それ以降に前記応募情報を作成するとき該視聴者情報を用いる。
【００２９】
本発明の放送システムの一態様によれば、前記無線端末は、前記データ放送により受信した前記募集情報を一時記憶し、前記視聴者の所望のときに前記応募情報を作成する。
【００３０】
本発明の放送システムの一態様によれば、前記無線端末は、作成した前記応募情報を一時記憶し、無線回線の状態が良好なときに前記データ受配信装置に送信する。
【００３２】
本発明の放送システムの一態様によれば、前記第２の時間は、前記募集情報を記憶したときから前記募集情報に対する応募の期限までである。
【００３３】
本発明の放送システムの一態様によれば、前記無線端末は、前記データ放送により受信した前記募集情報を表示する部分が、本体から分離された別の装置にある。
【００３４】
【発明の実施の形態】
本発明の一実施形態について図面を参照して詳細に説明する。
【００３５】
図１は、本発明の一実施形態の放送システムの構成を示すブロック図である。図１を参照すると、本実施形態の放送システムは、送出装置１１とデータ受配信装置１２を有している。送出装置１１とデータ受配信装置１２は放送事業者が管理する設備である。
【００３６】
送出装置１１は、ディジタル放送を送出する装置である。送出装置１１は、画像や音声のディジタル放送番組信号Ｓ１とデータ放送信号Ｓ２を入力とし、これらを多重して放送アンテナ１３へ送る。送出装置１１の出力は放送アンテナ１３から無線電波で送出され、視聴者の無線端末１４で受信される。
【００３７】
無線端末１４は、画像や音声の放送番組とデータ放送を受信するとともに、ゲートウェイ１５を介してインターネット１６に接続可能である。無線端末１４で放送番組及びデータ放送を視聴した視聴者は、データ放送によって募集された懸賞等にパケット通信機能で応募することができる。無線端末１４からのパケット通信による応募情報はインターネット１６を介してデータ受配信装置１２に送られる。応募情報を受信したデータ受配信装置１２は応募を受け取った旨を、応募情報を送った無線端末１４に電子メールなどで通知してもよい。なお、懸賞等には投票やアンケート、クイズ、商品購入などが含まれる。
【００３８】
データ受配信装置１２は、データ放送による懸賞等の募集情報をデータ放送信号Ｓ２として送出装置１１に入力するとともに、無線端末１４からインターネット１６を介して応募情報を受信し、その中の視聴者情報をデータベース１２１に蓄積する。視聴者情報は、番組情報に対応付けてデータベース１２１に蓄積される。
【００３９】
視聴者情報とは、懸賞等に応募した視聴者を特定するための情報であり、住所、氏名、年齢、性別等である。番組情報とは、番組を特定するための情報であり、番組名、番組内容、放送日時などである。
【００４０】
図２は、本実施形態の無線端末の構成を示すブロック図である。無線端末１４は、一例として、携帯電話機能とディジタル放送受信機能を併せ持つ。
【００４１】
図２を参照すると、無線端末１４は、アンテナ２０１，２１４、ディジタル放送受信部２０２、データ解析部２０３、音声画像処理部２０４、スピーカ２０５、制御部２０６、ディスプレイ２０７、入力インターフェイス部２０８、マイクロフォン２０９、音声回路部２１０、データ処理部２１１、無線制御部２１２及び無線信号処理部２１３を有している。
【００４２】
アンテナ２０１はディジタル放送を受信するためのアンテナであり、アンテナ２１４は携帯電話機能の通信を行うためのアンテナである。
【００４３】
ディジタル放送受信部２０２は、アンテナ２０１で受信した信号を復調し、ディジタル信号化する。
【００４４】
データ解析部２０３は、ディジタル放送受信部２０２からのディジタル信号を放送番組信号とデータ放送信号とに分離する。放送番組信号とはディジタル放送の信号である。
【００４５】
音声画像処理部２０４は、放送番組信号をデコードする。なお、テレビ放送の場合、画像信号と音声信号があるので、音声画像処理部２０４はそれぞれをデコードする。ラジオ放送の場合、音声画像処理部２０４は音声信号だけをデコードする。
【００４６】
スピーカ２０５は、音声画像処理部２０４でデコードされたアナログ音声信号により音声出力する。
【００４７】
制御部２０６は、ＣＰＵ及びメモリと、ディスプレイドライバなど周辺デバイスとのインタフェースとからなり、ブラウザソフトウェアを実行可能である。制御部２０６は、データ解析部２０３で分離されたデータ放送信号の画像と、音声画像処理部２０４でデコードされた画像信号の画像とを合成し、ディスプレイ２０７に画像表示する。これにより、データ放送がディスプレイ２０７に表示される。ディスプレイ２０７に表示されるデータ放送は、懸賞等に関する画像データ及びテキストデータ、応募フォーマット、応募先のインタネットアドレスなどを含む募集情報である。制御部２０６は、画像表示を行う際に、画像と音声との同期をとる。
【００４８】
また、制御部２０６は、視聴者が懸賞等に応募するとき応募情報を生成し、パケット信号としてデータ処理部２１１に送る。制御部２０６は、最初に懸賞等に応募する際には、視聴者が入力インターフェイス部２０８から入力した視聴者情報を応募情報に含めるとともにメモリ（不図示）に記録し、それ以降に懸賞等に応募する際には、予め記録しておいた視聴者情報を応募情報に含める。なお、視聴者情報は、視聴者が携帯電話の通信事業者と契約する際にＩＣカードに記録されてもよい。その場合、制御部２０６は、視聴者が懸賞等に応募するときに、ＩＣカード内の視聴者情報を応募情報に含める。
【００４９】
また、制御部２０６は、データ処理部２１１から受信したパケット信号の情報をディスプレイ２０７の表示に反映させる。
【００５０】
入力インターフェイス部２０８は、携帯電話機能のパケット通信において視聴者が応募情報の入力し、また、携帯電話機能の音声通話において宛先の電話番号を入力する等のための操作部でありプッシュボタンを含む。
【００５１】
音声回路部２１０は、携帯電話機能の音声通話においてマイクロフォン２０９から入力したアナログ音声信号を音声エンコーダでディジタル信号化する。また、音声回路部２１０は、音声通話においてデータ処理部２１１でディジタル信号化された音声信号を音声デコーダでデコードし、アナログ音声信号によりスピーカ２０５から音声出力する。
【００５２】
データ処理部２１１は、無線信号処理部２１３で復調された信号を音声信号とパケット信号とに振り分け、音声信号を音声回路部２１０に送り、パケット信号を制御部２０６に送る。また、データ処理部２１１は、制御部２０６で作成された応募情報等のパケット信号と、音声回路部２１０でディジタル信号化された音声信号を多重して無線信号処理部２１３に送る。
【００５３】
無線信号処理部２１３は、データ処理部２１１からの信号を変調してアンテナ２１４から送出する。また、無線信号処理部２１３は、アンテナ２１４で受信した信号を復調し、データ処理部２１１に送る。
【００５４】
無線制御部２１２は、携帯電話機能で使用する無線電波の状態を監視し、また、データ処理部２１１及び無線信号処理部２１３の動作を制御する。
【００５５】
ディジタルラジオ放送の場合を例に、本実施形態の放送システムの動作について説明する。
【００５６】
ディジタルラジオ放送の場合、スポンサー１９から放送を依頼された懸賞情報がデータ受配信装置１２でデータ放送信号Ｓ２にされ、送出装置１１に入力される。これと、ディジタルラジオ番組の放送番組信号Ｓ１とが送出装置１１で多重され、放送アンテナ１３から送出され、無線端末１４で受信される。
【００５７】
なお、募集情報には、懸賞等の応募先として、インターネットのアクセス先である、データ受配信装置１２のＵＲＬ情報が含まれている。視聴者は、ＵＲＬ情報により容易に懸賞等に応募することができる。また、募集情報には懸賞内容や応募先のみならず、応募フォーマットが含まれてもよい。
【００５８】
無線端末１４において、アンテナ２０１で受信されたディジタルラジオ放送は、ディジタル放送受信部２０２で復調されてディジタル信号化される。ディジタル信号化された放送信号はデータ解析部２０３で放送番組信号とデータ放送信号に分離される。
【００５９】
ここでは、ラジオ放送を例としているので、放送番組信号は音声信号である。放送番組信号は、音声画像処理部２０４でデコードされ、スピーカ２０５から音声出力される。
【００６０】
データ放送信号は、懸賞等の募集情報を含んでいる。データ放送信号の募集情報は、制御部２０６によりディスプレイ２０７に表示される。
【００６１】
視聴者は懸賞等の募集情報を見て、双方向のパケット通信機能で懸賞に応募する。
【００６２】
無線端末１４では、入力インターフェイス部２０８からの入力に従って、制御部２０６で応募情報が生成される。その際、無線端末１４では、応募情報に視聴者情報が含められる。視聴者情報は、視聴者が無線端末１４に対して１回入力すれば内部に記録され、それ以降は内部に記録されている情報が用いられる。
【００６３】
また、募集情報に応募フォーマットが含まれていた場合には、応募情報はそのフォーマットに従ったものとなる。
【００６４】
応募フォーマットは、住所、氏名、年齢、性別からなる基本構造を有し、オプションを付加することもできる。オプションは、スポンサー１９の意向により付加することのできる領域である。応募フォーマットにオプションがある場合、制御部２０６はブラウザソフトウェアによりオプションへの入力を視聴者に促す表示をディスプレイ２０７にする。視聴者がディスプレイ２０７の表示を見て、入力インターフェイス部２０８から必要な情報を入力すると、応募情報が完成される。
【００６５】
応募フォーマットにオプションがない場合、無線端末１４は、応募フォーマットに従って内部に記録されている視聴者情報を表示してもよい。視聴者は、表示された内容を確認した後に応募の操作を行う。また、無線端末１４は、視聴者情報を応募フォーマットに入れて表示せずに自動的に応募してもよい。
【００６６】
なお、応募フォーマットは住所、氏名、年齢、性別の全項目を含んでもよく、また、この中の任意の項目のみを含んでもよい。
【００６７】
一般に、懸賞等への応募はディスプレイ２０７に募集情報が表示されたときに行われるが、それに限られるものではない。例えば、制御部２０６は、無線状態を監視している無線制御部２１２と通信し、無線状態が良好なときに応募のためのパケット通信を行うように制御してもよい。この場合、制御部２０６はディスプレイ２０７に懸賞応募完了を通知した後、パケット通信で応募情報をデータ受配信装置１２へ送る。
【００６８】
また、募集情報が受信され、ディスプレイ２０７に表示されたら、制御部２０６は、その募集情報をメモリ上に一時的に蓄積することとしてもよい。視聴者は、都合の良いときに制御部２０７のメモリ上から募集情報を読み出し、応募することができる。その場合、募集情報の蓄積は自動的に行われてもよく、また、視聴者の操作により制御部２０６のブラウザソフトウェアが募集情報を一時蓄積するものとしてもよい。
【００６９】
一時蓄積できる募集情報のデータ量は有限なので、いずれは消去する必要がある。例えば、懸賞等の締め切り日時を過ぎた募集情報を消去することとしてもよい。また、蓄積したデータ量がメモリ領域の所定の容量を越えたら、蓄積の古いものから消去することとしてもよい。また、視聴者が再読み込みを行い、懸賞等への応募が完了したものを消去することとしてもよい。また、これらの中から１つ以上を視聴者が選択可能としてもよい。
【００７０】
制御部２０６で生成された応募情報は、データ処理部２１１を介して無線信号処理部２１３に送られ、無線信号処理部２１３で変調され、アンテナ２１４から送出される。
【００７１】
無線端末１４のアンテナ２１４から送出されたパケット信号は、インターネット１６を介してデータ受配信装置１２で受信される。
【００７２】
データ受配信装置１２は、無線端末１４から応募情報を受信すると、受信した旨の電子メールを無線端末１４に返信する。また、データ受配信装置１２では、応募情報から視聴者情報が取り出され、番組情報と対応付けてデータベース１２１に蓄積される。
【００７３】
放送事業者は、データベース１２１に蓄積された視聴者情報を集計して得た、放送時間帯や番組内容と視聴者層との関連を示す集計データから広告の宣伝効果を測定することができ、また、集計データをスポンサー１９に提供することができる。
【００７４】
本実施形態によれば、送出装置１１からデータ放送で送られた懸賞等の募集情報に対して、個人が所有する無線端末５２から視聴者情報を含む応募情報をデータ受配信装置５１に送り、視聴者情報をデータベース５１１に蓄積するので、放送事業者は、データベース１２１に蓄積された視聴者情報を集計して、放送時間帯や番組内容と視聴者層との関係を得ることができる。
【００７５】
放送事業者は、データベース１２１に蓄積された視聴者情報を元に得た放送時間帯や番組内容と視聴者層との関係を示す集計データをスポンサー１９に提供し、効果的な広告を提案することができる。それにより、放送事業者はスポンサー１９を多く獲得できるようになり、広告収入を増加させることができる。また、スポンサー１９は、宣伝効果の高い広告を放送することができる。
【００７６】
本実施形態の無線端末は複数の装置からなるものであってもよい。
【００７７】
図３は、本実施形態の他の無線端末の構成を示すブロック図である。図３を参照すると、本実施形態の他の無線端末は本体装置３１と付加装置３２を有している。
【００７８】
付加装置３２はディスプレイ３２１と入力インターフェイス部３２２を有しており、本体装置３１により制御される。また、付加装置３２にはヘッドホーン３３が接続可能である。ヘッドホーン３３はスピーカ２０５と同じ音声を出力する。ディスプレイ３２１は、データ放送の内容を表示する。入力インターフェイス部３２２は、視聴者が懸賞等に応募するための操作を行う操作部である。
【００７９】
図４は、図３の本体装置の構成を示すブロック図である。図４を参照すると、本体装置３１は制御部４１が図２のものと異なる。
【００８０】
制御部４１は、図２の制御部２０６と異なり、データ解析部２０３で分離されたデータ放送信号の画像をディスプレイ２０７に表示せず、ディスプレイ３２１に表示する。また、制御部４１は、応募情報を生成する際には、入力インターフェイス部３２２からの入力に従う。
【００８１】
なお、本体装置３１と付加装置３２とヘッドホーン３３は有線接続されてもよく、無線接続されてもよい。
【００８２】
本発明の他の実施形態について図面を参照して説明する。
【００８３】
図５は、本発明の他の実施形態の放送システムの構成を示すブロック図である。
【００８４】
図５の放送システムにおいて、送出装置１１は、図１のものと同様に、放送番組信号Ｓ１とデータ放送信号Ｓ２とを多重して放送アンテナ１３から送出する。無線端末５２は、図１の無線端末１４と同様に、ゲートウェイ１５を介してインターネット１６に接続可能であり、データ放送Ｓ２で送られた懸賞等の募集情報に対する応募情報をパケット通信でデータ受配信装置５１へ送る。データ受配信装置５１は、図１のデータ受配信装置１２と同様に、応募情報を受けて、視聴者情報をデータベース５１１に蓄積する。
【００８５】
図５の放送システムが図１の放送システムと異なるのは、データ受配信装置５１が視聴者データ領域５１２を有し、視聴者が懸賞等の応募を一時保留するために無線端末５２から視聴者データ領域５１２を利用できる点である。
【００８６】
視聴者は、データ放送の募集情報に対して応募するのを一時保留し、都合のよいときに行うことができる。無線端末５２は、データ放送で懸賞等の募集情報を受信するとディスプレイ表示するが、所定時間内に視聴者が応募の操作を行わなかったとき、自動的に、応募保留の動作を行う。なお、所定時間は、固定的に設定されたものであってもよく、視聴者により変更可能に設定されるものであってもよい。
【００８７】
応募保留の動作において、無線端末５２は、所定時間の経過を検出すると、自身を識別するための端末識別情報と募集情報とをデータ受配信装置５１に送信する。端末識別情報とは各無線端末５２に固有の情報であり、例えば、無線端末５２のメールアドレスなどである。
【００８８】
端末識別情報と募集情報を受信すると、データ受配信装置５１は、端末識別情報と募集情報を視聴者データ領域５１２に記録する。視聴者データ領域５１２には、端末識別情報と募集情報との関係を示すテーブルが存在し、無線端末５２からの端末識別情報と募集情報はそこに格納される。
【００８９】
次に、データ受配信装置５１は、無線端末５２がテーブル内の自身の領域にアクセスするためのＩＤ情報をインターネット１６を介して無線端末５２に送る。
【００９０】
視聴者は、自身が一時保留した募集情報を、都合のよいときに視聴者データ領域５１２から取り出し、懸賞等に応募することができる。このとき、無線端末５２は、ＩＤ情報を用いて視聴者データ領域５１２の自身の領域にアクセスし、募集情報を取り出し、それに対する応募情報を作成し、データ受配信装置５１に送信する。
【００９１】
なお、無線端末５２から視聴者データ領域５１２へのアクセスは、所定の時間或いは期間に限り可能としてもよい。所定の時間或いは期間を経過すると、データ受配信装置５１は、視聴者データ領域５１２から情報を消去してもよい。
【００９２】
【発明の効果】
本発明によれば、送出装置からデータ放送で送られた懸賞等の募集情報に対して、個人が所有する無線端末から視聴者情報を含む応募情報をデータ受配信装置に送り、各個人の視聴者情報をデータ受配信装置に蓄積するので、放送事業者は、蓄積された視聴者情報を集計して、放送時間帯や番組内容と視聴者層との関係を得ることができる。
【００９３】
また、放送事業者は、データベースに蓄積された視聴者情報を元に得た放送時間帯や番組内容と視聴者層との関係を示す集計データをスポンサーに提供し、効果的な広告を提案することができる。それにより、放送事業者はスポンサーを多く獲得できるようになり、広告収入を増加させることができる。また、スポンサーは、宣伝効果の高い広告を放送することができる。
【００９４】
また、視聴者は視聴者情報を無線端末に対して一度入力すれば、無線端末はそれを記憶し、それ以降に応募情報を作成するときに自動的に用いるので、それ以降に懸賞等に応募するとき、視聴者は視聴者情報を入力する必要がなく、容易な操作で応募することができる。また、それにより、応募件数が増えて、放送事業者はより多くの視聴者情報から正確に視聴者層を知ることができる。
【００９５】
また、応募情報に自動的に視聴者情報が入力されるときでも、無線端末が表示等により視聴者情報の内容の確認を視聴者に求めるので、応募の前に視聴者は視聴者情報が正しいかどうか確認することができる。
【００９６】
また、視聴者は無線端末に蓄積された募集情報を所望のときに取り出して応募できるので、懸賞等の募集情報が放送されたとき、視聴者がリアルタイムで応募操作を行えなくとも、その後の都合のよいときに懸賞等に応募することができる。
【００９７】
また、無線回線が良好なときに応募情報が無線端末から送出されるので、視聴者が応募の操作を行ったときの無線回線の状況によらず、確実に応募情報をデータ受配信装置に送ることができる。
【００９８】
また、募集情報が放送されたときに直ぐに視聴者が応募操作すれば、そのときにリアルタイムで懸賞等に応募することができ、直ぐに応募しないとき、特別な操作を行わなくても募集情報がデータ受配信装置に記憶され、視聴者は都合のよいときにデータ受配信装置から募集情報を取り出して懸賞等に応募することができる。
【００９９】
また、データ受配信装置は応募の期限が過ぎていない募集情報のみを残して、募集期限の過ぎたものを消去するので、データ受配信装置内部の記憶領域が有効に利用され、より多くの募集情報を記憶することができる。
【図面の簡単な説明】
【図１】本発明の一実施形態の放送システムの構成を示すブロック図である。
【図２】本実施形態の無線端末の構成を示すブロック図である。
【図３】本実施形態の他の無線端末の構成を示すブロック図である。
【図４】図３の本体装置の構成を示すブロック図である。
【図５】本発明の他の実施形態の放送システムの構成を示すブロック図である。
【符号の説明】
１１    送出装置
１２、５１    データ受配信装置
１２１、５１１    データベース
１３    放送アンテナ
１４、５２    無線端末
１５    ゲートウェイ
１６    インターネット
１９    スポンサー
２０１、２１４    アンテナ
２０２    ディジタル放送受信部
２０３    データ解析部
２０４    音声画像処理部
２０５    スピーカ
２０６、４１    制御部
２０７    ディスプレイ
２０８    入力インターフェイス部
２０９    マイクロフォン
２１０    音声回路部
２１２    無線制御部
２１３    無線信号処理部
３１    本体装置
３２    付加装置
３２１    ディスプレイ
３２２    入力インタフェース部
３３    ヘッドホーン
５１２    視聴者データ領域
Ｓ１    放送番組信号
Ｓ２    データ放送信号
【図１】
0003578213.tif 000002
【図２】
0003578213.tif 000003
【図３】
0003578213.tif 000004
【図４】
0003578213.tif 000005
【図５】
0003578213.tif 000006